【手続補正書】
【提出日】令和1年9月26日(2019.9.26)
【手続補正１】
【補正対象書類名】明細書
【補正対象項目名】発明の名称
【補正方法】変更
【補正の内容】
【発明の名称】システム情報伝送方法及び装置、システム情報受信方法、装置およびプログラム
【手続補正２】
【補正対象書類名】明細書
【補正対象項目名】０００１
【補正方法】変更
【補正の内容】
【０００１】
本発明は、通信技術分野に関し、特にシステム情報伝送方法、システム情報伝送装置、システム情報受信方法、システム情報受信装置、電子機器、コンピュータ読み取り可能な記録媒体およびプログラムに関する。
【手続補正３】
【補正対象書類名】明細書
【補正対象項目名】０００５
【補正方法】変更
【補正の内容】
【０００５】
本発明は、従来技術における問題を解決するために、システム情報伝送方法、システム情報伝送装置、システム情報受信方法、システム情報受信装置、電子機器、コンピュータ読み取り可能な記録媒体及びプログラムを提供する。
【手続補正４】
【補正対象書類名】明細書
【補正対象項目名】００２３
【補正方法】変更
【補正の内容】
【００２３】
本発明の実施例の第８の態様によれば、コンピュータプログラムが記憶されたコンピュータ読み取り可能な記録媒体が提供される。前記コンピュータプログラムがプロセッサーにより実行される場合、
基地局から第２の指示情報及び／又は第３の指示情報の修正周期を指示するための第１の指示情報を含む最小システム情報を受信するステップと、
ここで、前記第２の指示情報は、その他システム情報におけるオンデマンドの方式で伝送された目標のその他システム情報が伝送されている状態にあるか否かを指示するためのものであり、前記第３の指示情報は、前記目標のその他システム情報の伝送方式を指示するためのものであり、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するステップと、を実現する。
本発明の実施例の第９の態様によれば、プロセッサーに実行されることにより上記のシステム情報伝送方法を実現するプログラムが提供される。
本発明の実施例の第１０の態様によれば、プロセッサーに実行されることにより上記のシステム情報受信方法を実現するプログラムが提供される。
【手続補正５】
【補正対象書類名】特許請求の範囲
【補正対象項目名】全文
【補正方法】変更
【補正の内容】
【特許請求の範囲】
【請求項１】
システム情報伝送方法であって、
第２の指示情報及び／又は第３の指示情報の修正周期を指示するための第１の指示情報を含む最小システム情報をブロードキャストするステップ、を含み、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものである
ことを特徴とするシステム情報伝送方法。
【請求項２】
前記第３の指示情報は、前記目標のその他システム情報が伝送されている状態にあるか否か、及び前記目標のその他システム情報の伝送方式を同時に指示するためのものである
ことを特徴とする請求項１に記載のシステム情報伝送方法。
【請求項３】
システム情報受信方法であって、
基地局から第２の指示情報及び／又は第３の指示情報の修正周期を指示するための第１の指示情報を含む最小システム情報を受信するステップと、
前記修正周期に基づいて目標のその他システム情報が伝送されている状態にあることが確定された場合、前記目標のその他システム情報が伝送されることに対応するタイムウィンドウにおいて、前記目標のその他システム情報を受信するステップと、を含み、
前記第２の指示情報は、その他システム情報におけるオンデマンドの方式で伝送される前記目標のその他システム情報が伝送されている状態にあるか否かを指示するためのものであり、
前記第３の指示情報は前記目標の他のシステム情報の伝送方式を指示するためのものである
ことを特徴とするシステム情報受信方法。
【請求項４】
前記第１の目標のその他システム情報を再びに取得するための第２の要求を前記基地局に伝送した前に、前記基地局が第１の要求に基づいて伝送した確認情報が受信されたか否かを確定するステップと、
前記確認情報が受信された場合、前記第２の要求を前記基地局に伝送するステップと、をさらに含む
ことを特徴とする請求項３に記載のシステム情報受信方法。 
【請求項５】
前記目標のその他システム情報を取得するための要求を前記基地局に伝送した後、前記目標のその他システム情報が伝送されることに対応するタイムウィンドウにおいて前記目標のその他システム情報が受信された前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するステップと、
伝送されている状態にある場合、前記目標のその他システム情報が伝送されることに対応するタイムウィンドウにおいて、前記目標のその他システム情報を受信するステップと、
伝送されていない状態にある場合、前記目標のその他システム情報が伝送されることに対応するタイムウィンドウにおいて、前記目標のその他システム情報の受信を停止するステップと、をさらに含む
ことを特徴とする請求項３に記載のシステム情報受信方法。
【請求項６】
前記目標のその他システム情報が伝送されることに対応するタイムウィンドウにおける予め設定された期間内に、前記目標のその他システム情報を受信できるか否かを確定するステップと、
受信できない場合、前記目標のその他システム情報が伝送されることに対応するタイムウィンドウにおいて、前記目標のその他システム情報の受信を停止するステップと、をさらに含む
ことを特徴とする請求項３に記載のシステム情報受信方法。
【請求項７】
ページング情報に基づいて第２の指示情報及び／又は第３の指示情報が変化されたかどうかを確定することではなく、前記最小システム情報をモニタリングすることによって、最新の第２の指示情報及び／又は第３の指示情報をリアルタイムで受信するステップを、さらに含む
ことを特徴とする請求項３〜６のいずれか１項に記載のシステム情報受信方法。 
【請求項８】
システム情報伝送装置であって、
第２の指示情報及び／又は第３の指示情報の修正周期を指示するための第１の指示情報を含む最小システム情報をブロードキャストするように構成されるブロードキャストモジュール、を備え、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものである
ことを特徴とするシステム情報伝送装置。
【請求項９】
前記第３の指示情報は、前記目標のその他システム情報が伝送されている状態にあるか否か、及び前記目標のその他システム情報の伝送方式を同時に指示するためのものである
ことを特徴とする請求項８に記載のシステム情報伝送装置。
【請求項１０】
システム情報受信装置であって、
基地局から第２の指示情報及び／又は第３の指示情報の修正周期を指示するための第１の指示情報を含む最小システム情報を受信するように構成される第１の受信モジュールと、
前記修正周期に基づいて目標のその他システム情報が伝送されている状態にあることが確定された場合、前記目標のその他システム情報が伝送されることに対応するタイムウィンドウにおいて、前記目標のその他システム情報を受信するように構成される第２の受信モジュールと、を備え、
前記第２の指示情報は、その他システム情報におけるオンデマンドの方式で伝送される前記目標のその他システム情報が伝送されている状態にあるか否かを指示するためのものであり、
前記第３の指示情報は、前記目標のその他システム情報の伝送方式を指示するためのものである
ことを特徴とするシステム情報受信装置。
【請求項１１】
前記第１の目標のその他システム情報を再びに取得するための第２の要求を前記基地局に伝送する前に、前記基地局が第１の要求に基づいて伝送した確認情報が受信されたか否かを確定するように構成される第１の確定モジュールと、
前記確認情報が受信された場合、前記第２の要求を前記基地局に伝送するように構成される伝送モジュールと、をさらに備える
ことを特徴とする請求項１０に記載のシステム情報受信装置。
【請求項１２】
前記目標のその他システム情報を取得するための要求を前記基地局に伝送した後、前記目標のその他システム情報が伝送されることに対応するタイムウィンドウにおいて前記目標のその他システム情報が受信される前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するように構成される第２の確定モジュールを、さらに備え、
前記第２の受信モジュールは、
前記目標のその他システム情報が伝送されることに対応する最近のタイムウィンドウにおいて、前記目標のその他システム情報が伝送されている状態にある場合、前記目標のその他システム情報が伝送されることに対応するタイムウィンドウにおいて、前記目標のその他システム情報を受信するように構成される第１の受信サブモジュールと、
前記目標のその他システム情報が伝送されることに対応する最近のタイムウィンドウにおいて、前記目標のその他システム情報が伝送されていない状態にある場合、前記目標のその他システム情報が伝送されることに対応するタイムウィンドウにおいて、前記目標のその他システム情報の受信を停止するように構成される第２の受信サブモジュールと、を備える
ことを特徴とする請求項１０に記載のシステム情報受信装置。
【請求項１３】
前記目標のその他システム情報が伝送されることに対応するタイムウィンドウにおける予め設定された期間内に、前記目標のその他システム情報が受信できるか否かを確定するように構成される第３の確定モジュールと、
前記目標のその他システム情報が伝送されることに対応するタイムウィンドウにおける予め設定された期間内に、前記目標のその他システム情報が受信できない場合、前記目標のその他システム情報が伝送されることに対応するタイムウィンドウにおいて、前記目標のその他システム情報の受信を停止するように構成される伝送制御モジュールと、をさらに備える
ことを特徴とする請求項１０に記載のシステム情報受信装置。
【請求項１４】
ページング情報に基づいて第２の指示情報及び／又は第３の指示情報が変化されたか否かを確定することではなく、前記最小システム情報をモニタリングすることによって、最新の第２の指示情報及び／又は第３の指示情報をリアルタイムで受信するように構成されるモニタリングモジュールを、さらに備える
ことを特徴とする請求項１０〜１３のいずれか１項に記載のシステム情報受信装置。
【請求項１５】
電子機器であって、
プロセッサーと、
プロセッサーの実行可能な命令を記憶するためのメモリと、を備え、
前記プロセッサーは、
第２の指示情報及び／又は第３の指示情報の修正周期を指示するための第１の指示情報を含む最小システム情報をブロードキャストするように構成され、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものである
ことを特徴とする電子機器。
【請求項１６】
電子機器であって、
プロセッサーと、
プロセッサーの実行可能な命令を記憶するためのメモリと、を備え、
前記プロセッサーは、
基地局から第２の指示情報及び／又は第３の指示情報の修正周期を指示するための第１の指示情報を含む最小システム情報を受信し、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するように構成され、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものである
ことを特徴とする電子機器。
【請求項１７】
コンピュータプログラムが記憶されたコンピュータ読み取り可能な記録媒体であって、
前記コンピュータプログラムがプロセッサーにより実行される場合、第２の指示情報及び／又は第３の指示情報の修正周期を指示するための第１の指示情報を含む最小システム情報をブロードキャストするステップを実現し、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものである
ことを特徴とするコンピュータ読み取り可能な記録媒体。
【請求項１８】
コンピュータプログラムが記憶されたコンピュータ読み取り可能な記録媒体であって、
前記コンピュータプログラムがプロセッサーにより実行される場合、
基地局から第２の指示情報及び／又は第３の指示情報の修正周期を指示するための第１の指示情報を含む最小システム情報を受信するステップと、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するステップと、を実現し、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものである
ことを特徴とするコンピュータ読み取り可能な記録媒体。
【請求項１９】
プロセッサーに実行されることによって、請求項１または請求項２に記載のシステム情報伝送方法を実現することを特徴とするコンピュータ読み取り可能な記録媒体に記録されたコンピュータプログラム。
【請求項２０】
プロセッサーに実行されることによって、請求項３から請求項７のうちいずれか１項に記載のシステム情報受信方法を実現することを特徴とするコンピュータ読み取り可能な記録媒体に記録されたコンピュータプログラム。